(57)【要約】【課題】梱包箱の電子タグに書かれている配送先と内容物である物品の電子タグに書かれている配送先とが常に一致するようにすること。【解決手段】配送対象物である物品ごとに付される第１のデータキャリアと、前記物品を複数個格納した状態で配送される梱包箱に付される第２のデータキャリアと、前記第２のデータキャリアに書き込まれているデータを読み出し、該データから前記物品に関する共通の属性情報を抽出する共通属性情報抽出手段と、前記抽出された共通属性情報を前記第１のデータキャリアに書き込む書込手段とを備え、前記物品が複数個前記梱包箱に格納された状態で前記抽出された共通属性情報を前記第１のデータキャリアに書き込むことによって達成される。【選択図】図１
2008037590.tif 000002
【特許請求の範囲】
【請求項１】
配送対象物にデータキャリアを付して該配送対象物の配送を管理する物品配送管理システムであって、
配送対象物である物品ごとに付される第１のデータキャリアと、
前記物品を複数個格納した状態で配送される梱包箱に付される第２のデータキャリアと、
前記第２のデータキャリアに書き込まれているデータを読み出し、該データから前記物品に関する共通の属性情報を抽出する共通属性情報抽出手段と、
前記抽出された共通属性情報を前記第１のデータキャリアに書き込む書込手段と、
を備え、
前記物品が複数個前記梱包箱に格納された状態で前記抽出された共通属性情報を前記第１のデータキャリアに書き込むことを特徴とする、物品配送管理システム。
【請求項２】
前記共通属性情報は、配送先である、請求項１に記載の物品配送管理システム。
【請求項３】
前記第２のデータキャリアの表面には、内部に記憶されているデータのうち、少なくとも前記共通属性情報が目視可能に印字されていることを特徴とする請求項１又は２記載の物品配送管理システム。
【請求項４】
前記第１及び第２のデータキャリアが、非接触型無線ＩＣタグであることを特徴とする請求項1乃至３のいずれかに記載の物品配送管理システム。
【請求項５】
前記配送対象物は、紙幣若しくは硬貨が収納される現金カセットであることを特徴とする請求項１乃至４のいずれかに記載の物品配送管理システム。
【発明の詳細な説明】
【技術分野】
【０００１】
本発明は、物品配送管理システムに関し、特に、配送される複数の物品及びそれらを梱包する梱包箱に非接触型ＩＣタグを付し、それらに書き込まれるデータによって物品の配送管理を行う物品配送管理システムに関する。
【背景技術】
【０００２】
近年、金融機関の金融店舗内外に設置されるATM（Automatic  Tellers  Machine：現金自動預け払い機）や売上金の現金処理機の管理について、顧客の入金貨幣や売上金の回収、現金処理機の釣銭の準備等を外部に委託するアウトソーシングが多くみられるようになってきている。一般的には現金輸送業者である警備輸送（警送）業者に委託し、警送業者は、現金の運搬をはじめ、資金管理、運用の人的・設備的コスト管理、集金集計業務までトータルに管理している。
この中で現金集配業務は、特に正確かつ効率的に行わなければならない。現金集配業務に関しては、各店舗に設置されている現金処理機の現金カセットを回収し、計数処理し、翌日営業用の釣銭準備金を作成する業務を一括して行う現金処理センター（以下、現金センターという。）に持ち帰り、現金センターで現金を精算し、その後、回収した現金カセットに効率よく釣り銭準備金を装填したのち（特許文献２参照）、現金センターから出荷し、再度各店舗に設置されている現金処理機にセットすることが一般的な業務フローになっている。
【０００３】
しかしながら、現金センターでは、契約している多数の店舗から回収した数千個以上もの現金カセットから現金（売上金）を取り出して計数／精算処理し、さらに翌日の営業に備えて店舗ごとの釣銭準備金を作成し、現金カセットに詰めて再び前記店舗に配送するための出庫準備処理作業がある。釣銭準備金は紙幣と硬貨を別々のカセットに入れて準備し、二つのカセットを一つのコンテナ（梱包箱）に入れて各店舗に配送することになっている。従って、そのコンテナの配送先と、その中身であるカセットの配送先は常に一致しなければならないが、カセットはコンテナの中に入っているため外からは見えず、確認のためには梱包を開く必要があった。簡単に開けられる梱包箱ならば問題はないが、一度開梱してしまうと再利用できないような梱包箱の場合は問題となる。
そこで、梱包箱とその中身である物品の両方に電子タグ（無線）を付し、それぞれのタグから読み取ったデータを照合することによって、梱包箱を開梱することなく、梱包箱内の物品を確認する技術が提案されている（例えば、特許文献１、２参照）。
しかしながら、特許文献１及び２の技術は、いずれも、物品に付された電子タグから読み取ったデータを梱包箱に付された電子タグに書き込むものであり、次のような問題点がある。すなわち、先に物品の電子タグの方にデータが書き込まれているため、データ内容（例えば配送先）の異なる二つ以上の物品が誤って同じ梱包箱に入れられた場合は、後で書き込まれる梱包箱の電子タグのデータと物品の電子タグのデータとは完全一致しなくなる。従って一部の物品は間違った配送先に配送されるおそれがある。
【特許文献１】特開平１０−３２４４０５号公報
【特許文献２】特開２００２−３７４１３公報
【特許文献３】特許第２６０８１４７号公報
【発明の開示】
【発明が解決しようとする課題】
【０００４】
本発明は上述のような問題に鑑み為されたものであり、梱包箱の電子タグに書かれている配送先と内容物である物品の電子タグに書かれている配送先とが常に一致するような物品配送管理システムを提供することを目的とする。
【課題を解決するための手段】
【０００５】
本発明は、配送対象物にデータキャリアを付して該配送対象物の配送を管理する物品配送管理システムであって、本発明の上記目的は、配送対象物である物品ごとに付される第１のデータキャリアと、前記物品を複数個格納した状態で配送される梱包箱に付される第２のデータキャリアと、前記第２のデータキャリアに書き込まれているデータを読み出し、該データから前記物品に関する共通の属性情報を抽出する共通属性情報抽出手段と、前記抽出された共通属性情報を前記第１のデータキャリアに書き込む書込手段とを備え、前記物品が複数個前記梱包箱に格納された状態で前記抽出された共通属性情報を前記第１のデータキャリアに書き込むことによって達成される。
【０００６】
また、本発明の上記目的は、前記共通属性情報を、配送先及び／又は物品名とすることにより、或いは、前記第２のデータキャリアの表面に、内部に記憶されているデータのうち、少なくとも前記共通属性情報を目視可能に印字することによって、効果的に達成される。
【発明の効果】
【０００７】
本発明に係る物品配送管理システムによれば、複数の物品を梱包箱の中に格納した後に、梱包箱に付されているＩＣタグから配送先情報を読み取って、中の複数の物品のＩＣタグに書き込むため、各物品のＩＣタグに書き込まれる配送先情報はすべて同じものになる。
【発明を実施するための最良の形態】
【０００８】
本発明は、複数の物品を一つの梱包箱に入れて配送する場合、梱包される物品に非接触でデータの読み書きが可能なＩＣタグを付し、梱包を解かなくても中の物品の情報（配送先、物品名等。）が分かるようにするとともに、梱包箱にも同様のＩＣタグを付し、かつ、そのＩＣタグの表面に目視可能に中の物品の情報を印字することによって、さらに管理を容易にしたものである。
また、中の複数の物品が共通の属性を有する場合（例えば、すべて同じところに配送される場合、商品名がすべて同じ場合など。）は梱包した後で一括して物品の属性情報を書き込んだ方が効率的であり、しかも他の物が混在することがなくなることに鑑み、本発明では、物品の共通属性情報を予め梱包箱に付すＩＣタグに書き込んでおき、物品を梱包箱に格納した後に、梱包箱のＩＣタグからその情報を読み出し、それを中の各物品のＩＣタグに書き込む方式をとっている。
【０００９】
以下、図面を参照しつつ、本発明に係る物品配送管理システムについて詳細に説明する。なお、本実施形態においては、配送される物品が、梱包箱であるコンテナに格納された現金カセットであり、それらに付されるデータキャリアが非接触型の無線ＩＣタグである場合を例として説明する。
図１は本発明に係る物品配送管理システムのブロック構成図の一例を示すものであり、梱包箱であるコンテナ１０の中に二つの現金カセット２０（紙幣用＝２０ａ、硬貨用＝２０ｂ）が収められており、コンテナ１０及び現金カセット２０にはそれぞれＩＣタグ１１及び２１が付されている。アンテナ３０はＩＣタグ１１及び２１に対して非接触でデータの読み書きを行うリーダライタ４０の一部を成すものであり、管理用パソコン５０はコンテナタグ１１から読み取ったデータのうち、カセットタグ２１に書き込むデータ(共通属性情報)を抽出し、カセットタグ２１に書き込む制御を行うものである。なお、書き込むデータを抽出する理由は、コンテナタグ１１に書き込まれているデータのうち、コンテナの中の現金の金額（合計額）情報は二つのカセットに共通する情報ではないので、それらを除く必要があるからである。管理用パソコン５０の中にはコンテナタグ１１に格納されているデータの形式が予め登録されており、読み込んだデータのどの部分を抽出するかが予めプログラムされている。そのプログラムに従って、リーダライタ４０によってカセットタグ２１に情報が書き込まれる。また、言うまでもないが、コンテナは中にあるカセットタグに外部から非接触でデータのリードライトをする関係上、電磁波を通す材質（例えばプラスチック製）で構成されている。
【００１０】
図２は、コンテナ１０の中に現金カセット２個（紙幣用２０ａ、硬貨用２０ｂ）が収められていることを示す斜視図である。コンテナ１０に貼付されたコンテナタグ１１の表面には目視可能なように、配送先（“五反田店”）及びトラックの走行ルート（“Ａルート”）が印字されており、この電子情報がカセットタグ２１にも書き込まれている。
【００１１】
図３は、本発明に係る物品配送管理システムが現金センターにおいて実際に適用される工程（出庫準備処理）を示す図であり、この図に基づいて処理の流れを説明する。
まず、現金センターにおいては、委託契約している顧客である各店舗から何らかの方法（本願発明とは直接関係がないので、特に言及しない。）で連絡された金種別の釣銭準備情報に基づいて、各店舗の釣銭準備金が作成される。釣銭準備金の作成には特許文献３に記載のシステムが利用可能である。その結果、必要な金額が紙幣及び硬貨に分けて準備され、所定のトレイに入れられて、次の出庫準備処理工程に送られる。このとき、店舗情報（及び配送ルート等の情報）が書き込まれ、及び印字されたコンテナタグ１１も同時に作成され、現金と一緒に前記トレイに入れられる。
【００１２】
この工程では、図３に示すように、トレイに入れられた店舗ごとの釣銭準備金を空の紙幣カセット２０ａと硬貨カセット２０ｂにそれぞれ詰め、二つの現金カセット２０をまとめて一つのコンテナ１０に入れて、予め印字されデータ入力されているコンテナタグ１１（トレイに一緒に入っている。）を、そのコンテナ１０に貼付する。コンテナタグ１１には店舗名及び配送ルートのデータが書き込まれているとともに、その表面に目視可能に店舗名及び配送ルートが印字されている。この印字は書き換えが可能なように、例えば、感熱印字等の方法により印字するのが好ましい。
【００１３】
また、現金カセット２０にはカセットタグ２１が貼着されており、カセット固有の識別情報（シリアルナンバー等）、及びカセット種別（紙幣／硬貨）含むカセット管理情報が予め書き込まれている。ただし、カセット固有の識別情報は消去できないようになっている。どのカセットが現在どこにあるのかを管理するためにカセット固有の識別情報が必要になるからである。
カセットタグ２１への配送先の店舗情報及び配送ルート情報、処理日時情報等の書き込みは、コンテナ１０に入れられた状態で行われる。すなわち、図３に示すように、作業台の上に載せられたコンテナ１０の側面に貼付されたコンテナタグ１１からアンテナ３０を介してリーダライタ４０がデータを読み出し、管理用パソコン５０が店舗名及び配送ルートの情報を抽出し、それに処理日時等の情報を付加してコンテナ１０内のカセットタグ２１に書き込むのである。
【００１４】
これらの処理の制御は管理用パソコン５０に格納された制御プログラムによって自動的に行われる。図４はその処理のフローを示すものである。
図4に基づいて処理の流れを説明する。なお、コンテナタグに書かれている情報は、店舗名、配送ルート、配送する合計金額であるとして、以下説明を進める。
コンテナタグの情報がアンテナ３０からリーダライタ４０を介して管理用パソコン５０に読み込まれる（ステップＳ１）。次に読み込んだ３種類の情報の中から、まず店舗名情報を取り出す（ステップＳ２）。これが共通属性情報であるか否かを判定する。なお、この判定は、例えば、共通属性情報には予めデータの末尾に共通属性情報であることを示す何らかの符号を付けるような約束にしておき、読み込んだ情報の末尾を調べることによって行うようにしてもよい。
店舗名情報が共通属性情報であると判定されると、それが共通属性情報として抽出され、メモリに一時記憶される（ステップＳ３）。次に、配送ルート情報を取り出し（ステップＳ４）、それが共通属性情報であるか否かを判定する。同様にして共通属性情報であると判定されると、共通属性情報として抽出され、メモリに一時記憶される（ステップＳ３）。次に、合計金額情報を取り出し（ステップＳ４）、それが共通属性情報であるか否かを判定する。合計金額情報は共通属性情報ではなく、かつ他に情報もないので、ステップＳ５に移り、最初のカセットタグ(例えば紙幣カセット)に抽出した共通属性情報（店舗名、配送ルート）を書き込む。次に、同様にして硬貨カセットタグにも同じ情報を書き込む。
【００１５】
コンテナタグ１１から読み取られたデータがカセットタグ２１に正常に書き込まれたら、コンテナ１０は配送ルート別に仕分けされてパレット等に積載され、配送されるのを待つことになる。その際、コンテナタグ１１に印字された情報が確認のために利用される。
なお、カセットタグ２１に書き込まれている情報を、管理用パソコン５０と通信可能に接続されている管理サーバ（図示せず）に送り、管理するようにしてもよい。このようにすることにより、どのカセットがどこに配送されたかを、管理サーバと接続された他の端末からも検索することが可能となる。
【００１６】
以上、物品配送管理システムについて、現金センターにおける現金カセットの配送管理を例として説明したが、本発明は現金センターにおける現金カセットの配送管理にのみ適用されるものではなく、一般に、流通物を扱う集配センター等における流通物の配送管理にも適用できるものである。
【図面の簡単な説明】
【００１７】
【図１】本発明に係る物品配送管理システムのブロック構成図の一例を示すものである。
【図２】コンテナの中に現金カセット２個（紙幣用２０ａ、硬貨用２０ｂ）が収められていることを示す斜視図である。
【図３】本発明に係る物品配送管理システムが現金センターにおいて実際に適用される工程（出庫準備処理）を示す図である。
【図４】管理用パソコンにおける処理のフローを示す図である。
【符号の説明】
【００１８】
１０  コンテナ
１１  コンテナタグ
２０  現金カセット
２１  カセットタグ
３０  アンテナ
４０  リーダライタ
５０  管理用パソコン
【図１】
2008037590.tif 000003
【図２】
2008037590.tif 000004
【図３】
2008037590.tif 000005
【図４】
2008037590.tif 000006